(57)【特許請求の範囲】
【請求項１】
音波を空間に放射するホーンと、ドーム状の振動板と、前記振動板によって覆われ、前記振動板から発した音波を前記ホーンのスロート部に導入するフェイズプラグとを有するホーンスピーカにおいて、
前記振動板を外側から取り囲んで支持するエッジと、
前記エッジを外側から取り囲み、前記エッジを介して前記振動板を支持する振動板保持部材と、
前記フェイズプラグから前記ホーンの側に向かって延在するようにして前記振動板の外周部に固定されたボイスコイルボビンと、
前記ボイスコイルボビンを収容する磁気ギャップを有する磁気回路と、
前記フェイズプラグの外周部から前記ボイスコイルボビンに向かって突出した隔離板であって、前記振動板の音波の放射する面と前記フェイズプラグの表面との間の空間である音発生空間と当該隔離板を挟んで前記音発生空間の反対側にある空気とを隔離する隔離板と
を具備することを特徴とするホーンスピーカ。
【請求項２】
前記振動板は前記隔離板を介して前記フェイズプラグに支持されていることを特徴とする請求項１に記載のホーンスピーカ。
【請求項３】
音波を空間に放射するホーンと、ドーム状の振動板と、前記振動板によって覆われ、前記振動板から発した音波を前記ホーンのスロート部に導入するフェイズプラグとを有するホーンスピーカにおいて、
前記フェイズプラグから前記ホーンの側に向かって延在するようにして前記振動板の外周部に固定されたボイスコイルボビンと、
前記ボイスコイルボビンを収容する磁気キャップを有する磁気回路と、
前記フェイズプラグの外周部から前記ボイスコイルボビンに向かって突出した隔離板であって、前記振動板の音波の放射する面と前記フェイズプラグの表面との間の空間である音発生空間と当該隔離板を挟んで前記音発生空間の反対側にある空間とを隔離する隔離板と、
を具備し、
前記振動板は前記隔離板を介して前記フェイズプラグに支持されていることを特徴とするホーンスピーカ。
【発明の詳細な説明】
【技術分野】
【０００１】
本発明は、放音方向に対して凹状に湾曲した振動板を有するホーンスピーカに関する。
【背景技術】
【０００２】
ホーンスピーカは、音波を空間に放射するホーンと、ドーム状の振動板と、その振動板が発した音をホーンのスロート部に導くフェイズプラグとを有している。ホーンスピーカには、振動板の音放射面が放音方向に対して凸状に湾曲しているフロントタイプ（たとえば、特許文献１を参照）と振動板の音放射面が放音方向に対して凹状に湾曲しているリアタイプ（たとえば、特許文献２を参照）とがある。ここで、フロントタイプのホーンスピーカは、振動板における音放射面の各点からスロート部までの距離が不均一である。これに対し、リアタイプのホーンスピーカは、振動板における音放射面の各点から発した音をスロート部に導く複数のスリットがフェイズプラグに形成されており、これらの各スリットを経由した音の伝搬距離は均一である。このため、フロントタイプのホーンスピーカよりもリアタイプのホーンスピーカの方が振動板の音放射面の各点から発した音を位相の揃った音としてスロート部に導き易い。以上の理由から、位相的な干渉が発生しやすい高音域の音を取り扱うホーンスピーカとしてリアタイプを採用するのが一般的である。
【先行技術文献】
【特許文献】
【０００３】
【特許文献１】実用新案登録第３０４０１７９号公報
【特許文献２】特開平６−１４１３９０号公報
【発明の概要】
【発明が解決しようとする課題】
【０００４】
ところで、これまでに提案されてきたリアタイプのホーンスピーカは、フロントタイプのホーンスピーカに比べて平坦な周波数特性を得がたいという問題があった。その理由は以下に説明する通りである。図８は、従来のリアタイプのホーンスピーカ８の縦断面図である。
【０００５】
図８において、ホーン８４のスロート部９４は、バックプレート８０の一端面に固定されている。このバックプレート８０において、ホーン８４と反対側の端面にはポールピース８５の一底面が固定されている。そして、バックプレート８０とポールピース８５の中心には両者を貫いてホーン８４のスロート部９４に至る導音孔８３が穿設されている。ポールピース８５においてバックプレート８０と反対側の底面は導音孔８３に向かってすり鉢状に凹んでおり、このすり鉢状の面には複数のスリットを有するフェイズプラグ８６が嵌め込まれている。そして、フェイズプラグ８６の背後には振動板８７が支持されている。この振動板８７は、ドーム状に湾曲しており、その外周部に筒状のボイスコイルボビン８８が設けられている。
【０００６】
また、バックプレート８０におけるホーン８４と反対側の端面には、バックプレート８０と同じ直径の環状マグネット８２とトッププレート８１があり、環状マグネット８２は、バックプレート８０とトッププレート８１との間に挟持されている。環状マグネット８２は、一方の底面（例えばバックプレート８０側の底面）にＮ極があり、他方の底面（例えばトッププレート８１側の底面）にＳ極がある。
【０００７】
トッププレート８１の内周壁は、微小な間隔を空けてポールピース８５の外周壁と対向している。そして、バックプレート８０と、環状マグネット８２と、トッププレート８１と、フェイズプラグ８６と、ポールピース８５とからなる磁気のループは、環状マグネット８２が発生した磁力線を一巡させる磁気回路を構成している。そして、振動板８７は、この磁気回路において、トッププレート８１の内周壁とポールピース８５の外周壁との間にある磁気ギャップＡＧに周端のボイスコイルボビン８８を収めた状態で支持されている。
【０００８】
この振動板８７を支持する構成は次の通りである。まず、トッププレート８１の環状マグネット８２と反対側の端面には、スペーサリング９０が固定されている。このスペーサリング９０の内周壁と振動板８７の外周部との間にはエッジ８９が介在している。このエッジ８９が振動板８７を支持する役割を果たす。
【０００９】
以上のような構成を有するホーンスピーカ８では、環状マグネット８２の発生した磁束がトッププレート８１とポールピース８５の間の磁気ギャップＡＧを通過する。そして、ボイスコイルボビン８８におけるボイスコイルに電流を流すと、ボイスコイルボビン８８には、ポールピース８５の中心軸ａｘに平行な方向の駆動力が与えられ、ボイスコイルボビン８８に固定された振動板８７が振動する。振動板８７が振動すると、この振動により、振動板８７とフェイズプラグ８６との間の空間ＯＳの空気がフェイズプラグ８６の各スリットを介して導音孔８３に押し出されたり引き戻されたりする。そして、この押し出されたり引き戻されたりする空気の粗密波が、音波として導音孔８３を経由し、ホーン８４から放音される。
【００１０】
ここで、図８に示すように、ホーンスピーカ８では、振動板８７とフェイズプラグ８６の間の薄い円板状の空間ＯＳの外側に、バックプレート８０、環状マグネット８２、トッププレート８１、スペーサリング９０、エッジ８９およびポールピース８５によって包囲された気密状態の空間ＣＳが連通している。ここで、空間ＣＳの厚みは空間ＯＳの厚みよりも大きくなっている。つまり、ホーンスピーカ８では、厚みが不連続な空間が連通することとなる。
【００１１】
よって、振動板８７をある周波数で振動させると、空間ＯＳと空間ＣＳとの間でヘルムホルツ共鳴に似た共鳴現象が発生する。その結果、図９に示すように、この共鳴現象を引き起こす周波数においてホーンスピーカ８の再生周波数特性にピークＰやディップＤが発生する。
【００１２】
本発明は、このような背景の下に案出されたものであり、放音方向に対して凹状に湾曲された振動板を有するホーンスピーカの再生周波数特性を平坦にすることを目的とする。
【課題を解決するための手段】
【００１３】
本発明は、音を拡声して出力するホーンと、湾曲面状の振動板と、前記振動板によって覆われ、前記振動板から発した音を前記ホーンのスロート部に導入するフェイズプラグとを有するホーンスピーカにおいて、前記振動板を外側から取り囲んで支持するエッジと、前記エッジを外側から取り囲み、前記エッジを介して前記振動板を支持する振動板保持部材と、前記フェイズプラグから前記ホーンの側に向かって延在するようにして前記振動板の外周部に固定されたボイスコイルボビンと、前記ボイスコイルボビンを収容する磁気ギャップを有する磁気回路と、前記フェイズプラグの外周部から前記ボイスコイルボビンに向かって突出した隔離板であって、前記振動板の音波の放射する面と前記フェイズプラグの表面との間の空間である音発生空間と当該隔離板を挟んで前記音発生空間の反対側にある空間とを隔離する隔離板とを具備するホーンスピーカを提供する。
【００１４】
この発明では、音発生空間と、隔離板を挟んで音発生空間の反対側にある空間との連通が隔離板によって阻止される。よって、本発明によると、ヘルムホルツ共鳴に似た共鳴現象の発生を防ぎ、ホーンスピーカの再生周波数特性を平坦にすることができる。
【００１５】
また、本発明は、音波を空間に放射するホーンと、ドーム状の振動板と、前記振動板によって覆われ、前記振動板から発した音波を前記ホーンのスロート部に導入するフェイズプラグとを有するホーンスピーカにおいて、前記振動板の外周部に固定されたボイスコイルボビンであって、前記振動板の外周部における当該ボイスコイルボビンが固定された部分から前記ホーンの反対側の方に向かって折り返すように延在するボイスコイルボビンと、前記ボイスコイルボビンを収容する磁気ギャップを有する磁気回路と、前記振動板の外周部を取り囲むようにして前記振動板の外周部に固定された環状の隔離板と、前記フェイズプラグを包囲する環状のプレートであって、前記隔離板を収容し、かつ、前記磁気ギャップと連通する空間を内包する凹部を内周壁に有するプレートとを具備し、前記隔離板の外周端は、前記凹部の内周壁に固定され、前記凹部に内包される空間は、前記隔離板によって、前記振動板の音波を放射する面と前記フェイズプラグの表面との間の空間である音発生空間に連通する第１の空間と、前記磁気ギャップに連通する第２の空間とに隔離され、前記音発生空間及び前記第１の空間が、断面の厚みが均一な空間を構成することを特徴とするホーンスピーカを提供する。
【００１６】
この発明では、音発生空間と第１の空間とにより、断面の厚みが均一な空間を構成する。よって、本発明によると、ヘルムホルツ共鳴に似た共鳴現象の発生を防ぎ、ホーンスピーカの再生周波数特性を平坦にすることができる。
【図面の簡単な説明】
【００１７】
【図１】本発明の第１実施形態であるホーンスピーカの縦断面図である。
【図２】同ホーンスピーカにおけるホーンの一部を除いた残りのを除く部分の拡大図である。
【図３】同ホーンスピーカにおける磁気ギャップＡＧ１の周囲の部分の拡大図である。
【図４】本発明の第２実施形態であるホーンスピーカにおけるホーンを除く部分の拡大図である。
【図５】本発明の他の実施形態であるホーンスピーカにおける磁気ギャップＡＧ１の周囲の拡大図である。
【図６】本発明の他の実施形態であるホーンスピーカの拡大図である。
【図７】本発明の他の実施形態であるホーンスピーカの拡大図である。
【図８】従来のホーンスピーカの縦断面図である。
【図９】従来のホーンスピーカの周波数特性図である。
【発明を実施するための形態】
【００１８】
以下、図面を参照しつつ本発明の実施の形態について説明する。
＜第１実施形態＞
図１は、この発明の第１実施形態であるホーンスピーカ５の縦断面図である。図２は、図１におけるホーン１４の一部を除いた残りの部分の拡大図である。図２に示すように、ポールピース１０の外形は、小径の筒体と大径の筒体とを連結させたような形状をなしている。ポールピース１０の中心には導音孔１１が穿設されている。図１に示すように、ポールピース１０の一端面における導音孔１１の開口部１３にはホーン１４のスロート部５５が連結されており、ポールピース１０とホーン１４とが一体となって、本発明のホーンスピーカ５のホーンを構成している。ポールピース１０の他端面にはフェイズプラグ１６が固定されている。フェイズプラグ１６の背後には湾曲面であるドーム状の振動板１７がある。この振動板１７は、音波の放射面である凹面をフェイズプラグ１６に向けて支持されている。この振動板１７を支持する構成の詳細は、後述する。
【００１９】
フェイズプラグ１６は、振動板１７の振動によって発生する音波の位相を揃える位相等化器としての役割を果たす部材である。フェイズプラグ１６は、円錐状部材１８とその外周を取り囲む環状部材１９、及び環状部材１９とその外周を取り囲む環状部材２０を各々の間に隙間を空けるようにして一部連結した構造になっている。フェイズプラグ１６として連結された部材１９及び２０における振動板１７に対向する面は、振動板１７における凹曲面の形状に対応した凸曲面（以下、この凸曲面を音集面４５という）をなしている。円錐状部材１８と環状部材１９との間の隙間および環状部材１９と環状部材２０との間の隙間は、音集面４５から導音孔１１に向かって延在するスリット２１，２２を構成する。これらスリット２１，２２の各々の断面形状は、音響孔１１に近づくに従って拡がるテーパ状をなしている。なお、図２では、スリット２１，２２の一部が集音面４５に至る途中で閉塞しているが、これは、図２の断面におけるそれらの閉塞箇所において円錐状部材１８と環状部材１９および環状部材１９と環状部材２０が連結されていることを示すものである。
【００２０】
ポールピース１０の周りには、バックプレート３１、環状マグネット３２、およびトッププレート３３がある。バックプレート３１、環状マグネット３２、およびトッププレート３３は、異なる内周径を持った環状をなしている。バックプレート３１は、ポールピース１０の外周を取り囲んだ状態でポールピース１０に対して固定されている。そして、バックプレート３１、環状マグネット３２、およびトッププレート３３は、バックプレート３１とトッププレート３３の間に環状マグネット３２を挟むようにして一体化されている。環状マグネット３２は、一方の底面（例えばバックプレート３１側の底面）にＮ極があり、他方の底面（例えばトッププレート３３側の底面）にＳ極がある。
【００２１】
このホーンスピーカ５では、バックプレート３１、環状マグネット３２、トッププレート３３、ポールピース１０、及びトッププレート３３の内周壁３６とポールピース１０の外周壁３７との間の隙間からなる磁気のループが、環状マグネット３２が発生した磁力線を一巡させる磁気回路を構成している。ここで、環状マグネット３２の内周壁３５とポールピース１０の外周壁３７の間には空隙があり、トッププレート３３の内周壁３６とポールピース１０の外周壁３７の間にはさらに狭い隙間である磁気ギャップＡＧ１がある。磁気回路を一巡する磁束は、この磁気ギャップＡＧ１を横切る。
【００２２】
また、振動板１７の外周部にはボイスコイルボビン３９が固定されている。ボイスコイルボビン３９は、振動板１７の外周部からホーン１４の側に向かって延在する筒状をなしている。ボイスコイルボビン３９にはボイスコイル（不図示）が巻回されている。振動板１７が支持された状態において、ボイスコイルボビン３９は磁気ギャップＡＧ１に収容されている。
【００２３】
振動板１７を支持する構成は次の通りである。トッププレート３３の環状マグネット３２と反対側の端面にはスペーサリング３４が固定されている。そして、スペーサリング３４の内周壁４１とボイスコイルボビン３９の外周部との間にはエッジ４０が介在している。図３の拡大図に示すように、エッジ４０は、ボイスコイルボビン３９の外周面７１における振動板１７と繋がっている端部よりも僅かに磁気ギャップＡＧ１側からスペーサリング３４に向かって拡がっている。エッジ４０の外周端は、スペーサリング３４の内周壁４１に固定されている。また、フェイズプラグ１６の集音面４５の周端からはポールピース１０に向かって円周状に延在する外周面４２が形成されている。この外周面４２には隔離板５０が嵌め込まれている。隔離板５０は環状をなしている。隔離板５０の外周端はボイスコイルボビン３９の内周面７２に至るまで突出し、その内周面７２におけるエッジ４０の裏側にボイスコイルボビン３９の振動を阻害しないように接触している。
【００２４】
この隔離板５０は、振動板１７とフェイズプラグ１６との間の空間（以下、音発生空間ＯＳという）と当該隔離板５０を挟んで音発生空間ＯＳの反対側にある空間（図２の例では、隔離板５０、フェイズプラグ１６、ポールピース１０、バックプレート３１、環状マグネット３２、トッププレート３３、スペーサリング３４、およびエッジ４０により囲まれた空間：以下、空間ＡＳという）とを隔離する機能を有する。つまり、本実施形態におけるホーンスピーカ５は、厚みがほぼ均一な音発生空間ＯＳとその外側における当該空間ＯＳと異なる厚みを持った空間ＡＳとの連通が隔離板５０によって阻止される構造となっている。
【００２５】
ホーンスピーカ５の構成は、以上説明した通りである。このホーンスピーカ５は、以下のようにして動作する。振動板１７のボイスコイルボビン３９に巻回されているボイスコイル（不図示）に音声信号の電流を流すと、ボイスコイルボビン３９には、ポールピース１０の中心軸ｂｘに平行な方向の駆動力が与えられ、ボイスコイルボビン３９に固定された振動板１７が振動する。振動板１７が振動すると、この振動により、音発生空間ＯＳの空気がフェイズプラグ１６の各スリット２１，２２を介して導音孔１１に押し出されたり引き戻されたりする。そして、この押し出されたり引き戻されたりする空気の粗密波が、音波として導音孔１１を経由し、ホーン１４から外部の室空間へ放射される。
【００２６】
振動板１７が振動している間、フェイズプラグ１６の外周面４２からボイスコイルボビン３９に向かって突出している隔離板５０は、ボイスコイルボビン３９の内周面７２上を摺動しつつ、音発生空間ＯＳ及び空間ＡＳの間の空気の移動を阻止する。これにより、音発生空間ＯＳ内の空気が疎になるのに合わせて音発生空間ＯＳから空間ＡＳから空気が移動する現象や、音発生空間ＯＳ内の空気が密になるのに合わせて音発生空間ＯＳから空間ＡＳに空気が移動する現象が発生しなくなる。この結果、ヘルムホルツ共鳴に似た共鳴現象の発生が防止され、ホーンスピーカ５の再生周波数特性を平坦にすることができる。
【００２７】
＜第２実施形態＞
図４は、この発明の第２実施形態であるホーンスピーカ５Ａにおけるホーン１４の一部を除いた残りの部分の拡大図である。このホーンスピーカ５Ａのホーン１４の形状は、第１実施形態のホーンスピーカ５のホーン１４の形状（図１）と同じである。図４において、第１実施形態のホーンスピーカ５と同じ要素には同一の符号を付してある。第１実施形態では、隔離板５０がフェイズプラグ１６の外周面４２に設けられていた。しかし、本実施形態におけるホーンスピーカ５Ａでは外周面４２に隔離板５０を設けない。その代わりに、このホーンスピーカ５Ａでは、エッジ４０が、振動板１７の外周部を支持する機能と第１実施形態における隔離板５０の機能とを併有する。
【００２８】
このホーンスピーカ５Ａでは、ボイスコイルボビン３９は、振動板１７の外周部に固定されている。ボイスコイルボビン３９は、振動板１７における当該ボイスコイルボビン３９が固定されている部分からホーン１４の反対側（即ち、振動板１７におけるドームの頂上側）の方に向かって折り返すように延在する筒状に構成されている。また、バックプレート３１Ａはバックプレート３１（図２）よりも厚みが大きくなっている。バックプレート３１Ａの内周壁には凹部５１と凸部５６が形成されている。また、トッププレート３３Ａの内周径はトッププレート３３（図２）の内周径よりも小さくなっている。トッププレート３３Ａの内周側の部分は振動板１７の側に折れ曲がり振動板１７の背後まで伸びる凸部５７を構成している。そして、バックプレート３１Ａの凸部５６とトッププレート３３Ａに凸部５７との間に磁気ギャップＡＧ２がある。
【００２９】
また、本実施形態におけるホーンスピーカ５Ａでは、振動板１７が支持された状態において、ボイスコイルボビン３９は磁気ギャップＡＧ２に収容されている。この振動板１７を支持する構成は次の通りである。ホーンスピーカ５Ａでは、トッププレート３３Ａの端面にエッジ４０を支持するスペーサリング３４（図２）がない。その代わりに、ホーンスピーカ５Ａでは、バックプレート３１Ａの凹部５１内にエッジ４０がある。
【００３０】
より詳細に説明すると、エッジ４０は、ボイスコイルボビン３９におけるホーン１４の側の端部からバックプレート３１Ａの凹部５１内の空間（具体的には、凹部５１の底面５４とその両側面５５，５６によって囲まれた空間に向かって拡がっている。エッジ４０の外周端は、凹部５１におけるボイスコイルボビン３９と対向する面である底面５４に固定されている。このエッジ４０により、凹部５１内の空間は、磁気ギャップＡＧ２に連通した空間ＢＳ’と空間ＯＳに連通した空間ＢＳ”とに隔離される。
【００３１】
ここで、エッジ４０と、凹部５１における底面５４と直交する２つの面のうち磁気ギャップＡＧ２から遠い方の面５５（ホーン１４側の面）の間の隙間の幅は、ボイスコイルボビン３９が振動していないとき、フェイズプラグ１６の外周面４２とボイスコイルボビン３９の間の隙間の幅と等しい。よって、本実施形態のホーンスピーカ５Ａでは、エッジ４０により隔離された２つの空間ＢＳ’及びＢＳ”のうち音発生空間ＯＳに連通する方の空間ＢＳ”が、音発生空間ＯＳとともに、厚みが均一な空間ＸＳを構成する。
【００３２】
本実施形態では、振動板１７が振動している間、音発生空間ＯＳ内の空気が疎になるのに合わせて空間ＢＳ”から音発生空間ＯＳに空気が移動する現象や、音発生空間ＯＳ内の空気が密になるのに合わせて音発生空間ＯＳから空間ＢＳ”に空気が移動する現象が発生する。しかし、音発生空間ＯＳにおける音波を放射する面に直交する面で切った断面の厚みと、空間ＢＳ”における中心軸ｂｘ（ホーン１４の延伸する方向の軸）を含む面で切った断面の厚みは均一であるから、ヘルムホルツ共鳴に似た共鳴現象は発生しない。よって、本実施形態によっても、ホーンスピーカ５Ａの再生周波数特性を平坦にすることができる。
【００３３】
以上、この発明の一実施形態について説明したが、この発明には他にも実施形態があり得る。例えば、以下の通りである。
（１）第１実施形態において、図５に示すように、フェイズプラグ１６の外周面４２とボイスコイルボビン３９の間の隙間に設けられた隔離板５０をボイスコイルボビン３９の内側に固定してもよい。この場合、隔離板５０は、エッジ４０と同じように、振動板１７の振動を阻害しないように適度な柔軟性や可撓性を持った部材（例えば、柔軟な樹脂や樹脂を含浸した織物、柔軟な蛇腹構造を持った部材）で構成するとよい。また、ボイスコイルボビン３９の内側に固定した隔離板５０によりエッジ４０を代用してもよい。この実施形態では、図６に示すように、ボイスコイルボビン３９の外周面７１とスペーサリング３４の内周壁４１の間にエッジ４０を設けず、隔離板５０の先端をボイスコイルボビン３９の内周面７２に固定する。そして、この隔離板５０によってボイスコイルボビン９０を内側から支持する。この場合も図５の場合と同様に、隔離板５０は、振動板１７の振動を阻害しないように適度な柔軟性や可撓性を持った部材で構成するとよい。
【００３４】
（２）第２実施形態におけるホーンスピーカ５Ａでは、凹部５１内の空間を磁気ギャップＡＧに連通した空間ＢＳ’と音発生空間ＯＳに連通した空間ＢＳ”とに隔離する隔離板としての役割をエッジ４０が果たした。しかし、そのような役割を果たす隔離板をエッジ４０とは別に設けてもよい。この実施形態は、例えば、次のような構成によって実現できる。凹部５１の底面５４におけるボイスコイルボビン３９の端部（ホーン１４の側の端部）と向かい合う位置からボイスコイルボビン３９に向かって環状の隔離板を延在させ、隔離板の内周をボイスコイルボビン３９に当接させる。そして、凹部５１の底面５４における隔離板よりも磁気ギャップＡＧ２側の位置とボイスコイルボビン３９との間にエッジ４０を介在させる。
【００３５】
（３）図７に示すように、ホーンスピーカ８において、環状マグネット８２の内側に環状の非磁性部材１００を設け、この非磁部材１００の内周とポールピース８５との間の隙間の厚さと、フェイズプラグ８６と振動板８７との間の空間ＯＳの厚さとが同じになるように構成してもよい。このようなホーンスピーカ８の構成を概念的に示すと、「音波を空間に放射するホーンと、ドーム状の振動板と、前記振動板によって覆われ、前記振動板から発した音波を前記ホーンのスロート部に導入するフェイズプラグとを有するホーンスピーカにおいて、前記フェイズプラグを収容するポールピースと、前記ポールピースを包囲し、前記フェイズプラグと共に磁気回路を構成する環状マグネットと、前記環状マグネットと前記ポールピースの外周面の間に設けられた環状の非磁性部材とを有し、前記ポールピースの外周面と前記非磁性部材の内周面の間の隙間の厚さが前記振動板と前記フェイズプラグの間の隙間の厚さと同じになるように構成されていることを特徴とするホーンスピーカ。」となる。
【符号の説明】
【００３６】
５，５Ａ…スピーカ、１０…ポールピース、１１…導音孔、１４…ホーン、１６…フェイズプラグ、１７…振動板、１８…円錐状部材、１９，２０…環状部材，３１…バックプレート、３２…環状マグネット、３３…トッププレート、３９…ボイスコイルボビン、４０…エッジ、５０…隔離板
【図１】
0005573346.tif 000002
【図２】
0005573346.tif 000003
【図３】
0005573346.tif 000004
【図４】
0005573346.tif 000005
【図５】
0005573346.tif 000006
【図６】
0005573346.tif 000007
【図７】
0005573346.tif 000008
【図８】
0005573346.tif 000009
【図９】
0005573346.tif 000010